(57)【要約】【課題】ペットの抜け毛を簡単に回収することができて携帯性にも優れたペット用ブラシを提供する。【解決手段】基部２１と、基部２１に多数設けられたピン状または線状のブラシ毛材２２とを有するブラシ部２０と、基部２１に対して回動可能に取り付けられ、当該回動動作によってブラシ毛材２２の間に出入りすることで、ブラシ毛材２２の間に残っているペットの毛Ｐを抜き取る抜き取り体３０と、ブラシ部２０に対してヒンジ部１１を介して回動可能に取り付けられ、ブラシ部２０に向けて折り畳み可能に設けられた持ち手部４０と、持ち手部４０の内部に設けられた、合成樹脂製袋５０の収納部４１と、収納部４１から合成樹脂製袋５０を取り出すために、持ち手部４０に設けられた袋取り出し口４２とを備えている。【選択図】図１
2015205026.tif 000002
【特許請求の範囲】
【請求項１】
基部と、この基部に多数設けられたピン状または線状のブラシ毛材とを有するブラシ部と、
前記基部に対して回動可能に取り付けられ、当該回動動作によって前記ブラシ毛材の間に出入りすることで、ブラシ毛材の間に残っているペットの毛を抜き取る抜き取り体と、
前記ブラシ部に対してヒンジ部を介して回動可能に取り付けられ、前記ブラシ部に向けて折り畳み可能に設けられた持ち手部と、
この持ち手部の内部に設けられた、合成樹脂製袋の収納部と、この収納部から合成樹脂製袋を取り出すために、前記持ち手部に設けられた袋取り出し口と、
を備えたことを特徴とするペット用ブラシ。
【請求項２】
請求項１において、
前記持ち手部は、前記ブラシ部のブラシ毛材側に向けて折り畳まれて、ブラシ毛材の先端を覆うカバー面を有しており、このカバー面の反対側に、前記収納部が設けられていることを特徴とするペット用ブラシ。
【発明の詳細な説明】
【技術分野】
【０００１】
本発明は、ペット用ブラシに関するものである。
【背景技術】
【０００２】
従来、ペット用ブラシとして、例えば特許文献１に見られるように、犬や猫の抜け毛やゴミを安全に掻き取ることができるとともに、掻き取った抜け毛やゴミを簡単に回収することができるようにしたペット用ブラシが知られている。
このペット用ブラシは、粘着テープロール（５）を回転可能に支持する粘着テープロール支持部（４）と、ピン状のブラシ毛（３１）が多数植設されたブラシ部（３）とを備え、粘着テープロール（５）から繰り出された粘着テープ（５１）の一部を、その粘着面（５２）がブラシ毛（３１）の先端側を向くようにブラシ毛（３１）に刺入して、ブラシ部（３）で捕捉された毛を粘着テープ（５１）の粘着面（５２）で回収することができるようになっている。
【先行技術文献】
【特許文献】
【０００３】
【特許文献１】特開２００８−２７９０９７号公報
【発明の概要】
【発明が解決しようとする課題】
【０００４】
上述した従来のペット用ブラシは、粘着テープロール支持部（４）を設ける必要があるため、大型化しやすく、持ち運びに不便である。また、粘着テープ（５１）を粘着テープロール（５）から繰り出してブラシ毛（３１）に刺入する作業も煩雑である。
本発明が解決しようとする課題は、ペットの抜け毛を簡単に回収することができて携帯性にも優れたペット用ブラシを提供することである。
【課題を解決するための手段】
【０００５】
上記課題を解決するために本発明のペット用ブラシは、
基部と、この基部に多数設けられたピン状または線状のブラシ毛材とを有するブラシ部と、
前記基部に対して回動可能に取り付けられ、当該回動動作によって前記ブラシ毛材の間に出入りすることで、ブラシ毛材の間に残っているペットの毛を抜き取る抜き取り体と、
前記ブラシ部に対してヒンジ部を介して回動可能に取り付けられ、前記ブラシ部に向けて折り畳み可能に設けられた持ち手部と、
この持ち手部の内部に設けられた、合成樹脂製袋の収納部と、この収納部から合成樹脂製袋を取り出すために、前記持ち手部に設けられた袋取り出し口と、
を備えたことを特徴とする。
【０００６】
このペット用ブラシによれば、持ち手部がブラシ部に向けて折り畳み可能となっているので、持ち手部をブラシ部に向けて折り畳んでコンパクトにして容易に持ち運ぶことができる。つまり、犬、猫等のペットを伴った状態で容易に携行することができる。
ブラッシングする際には、ブラシ部と持ち手部とを開き、抜き取り体をブラシ毛材の間に入れた状態として、持ち手部を持ってブラッシングすることで、ペットの抜け毛をブラシ部で取り除くことができる。
ブラシ部に付着した抜け毛については、抜き取り体を回動させてブラシ毛材の間から出すことによって、ブラシ部から容易に除去することができる。
しかも、ブラッシングによって取り除いた抜け毛は、持ち手の収納部から取り出した合成樹脂製袋に入れて処分することができるため、別途袋を持ち歩く必要もなくなる。
以上のように、このペット用ブラシによれば、携帯性に優れ、抜け毛を簡単に回収することができ、しかも、別途、処分用の袋も持ち歩く必要がない、という効果が得られる。
【０００７】
このペット用ブラシにおいては、
前記持ち手部は、前記ブラシ部のブラシ毛材側に向けて折り畳まれて、ブラシ毛材の先端を覆うカバー面を有しており、このカバー面の反対側に、前記収納部が設けられている構成とすることができる。
このように構成すると、持ち手部の上記カバー面でブラシ毛材の先端を良好に覆うことができるとともに、持ち手部の上記カバー面の反対側を利用して収納部を良好に構成することができる。
【図面の簡単な説明】
【０００８】
【図１】本発明に係るペット用ブラシの一実施の形態を示す図で、（ａ）は正面図、（ｂ）は左側面図、（ｃ）は図（ａ）におけるｃ−ｃ断面図。
【図２】（ａ）（ｂ）は折り畳み状態を示す左側面図。
【図３】（ａ）（ｂ）は抜き取り体３０の作用説明図。
【図４】（ａ）（ｂ）は持ち手部４０の断面図。
【図５】持ち手部４０の断面図。
【発明を実施するための形態】
【０００９】
以下、本発明に係るペット用ブラシの実施の形態について図面を参照して説明する。なお、各図において、同一部分ないし相当する部分には、同一の符号を付してある。
【００１０】
図１に示すように、この実施の形態のペット用ブラシ１０は、基部２１と、この基部２１に多数設けられたピン状または線状のブラシ毛材２２とを有するブラシ部２０と、
前記基部２１に対して回動可能に取り付けられ（図３参照）、当該回動動作によって前記ブラシ毛材２２の間に出入りすることで、ブラシ毛材２２の間に残っているペットの毛Ｐを抜き取る抜き取り体３０と、
前記ブラシ部２０に対してヒンジ部１１を介して回動可能に取り付けられ（図２参照）、前記ブラシ部２０に向けて折り畳み可能に設けられた持ち手部４０と、
この持ち手部４０の内部に設けられた、合成樹脂製袋５０の収納部４１と、この収納部４１から合成樹脂製袋５０を取り出すために、前記持ち手部４０に設けられた袋取り出し口４２と、を備えている。
【００１１】
このペット用ブラシ１０によれば、持ち手部４０がブラシ部２０に向けて折り畳み可能となっているので、図２（ｂ）に示すように持ち手部４０をブラシ部２０に向けて折り畳んでコンパクトにして容易に持ち運ぶことができる。つまり、犬、猫等のペットを伴った状態で容易に携行することができる。
【００１２】
ブラッシングする際には、図１に示すように、ブラシ部２０と持ち手部４０とを開き、抜き取り体３０をブラシ毛材２２の間に入れた状態として、持ち手部４０を持ってブラッシングすることで、ペットの抜け毛をブラシ部２０で取り除くことができる。
ブラシ部２０に付着した抜け毛については、図３に示すように、抜き取り体３０を回動させてブラシ毛材２２の間から出すことによって、ブラシ部２０から容易に除去することができる。
【００１３】
しかも、ブラッシングによって取り除いた抜け毛Ｐは、持ち手４０の収納部４１から取り出した合成樹脂製袋５０に入れて処分することができるため、別途袋を持ち歩く必要もなくなる。
以上のように、このペット用ブラシ１０によれば、携帯性に優れ、抜け毛Ｐを簡単に回収することができ、しかも、別途、処分用の袋も持ち歩く必要がない、という効果が得られる。
【００１４】
図２に示すように、持ち手部４０は、ブラシ部２０のブラシ毛材２２側に向けて折り畳まれてブラシ毛材２２の先端２２ｃを覆うカバー面４３を有しており、このカバー面４３の反対側に、収納部４１が設けられている。
このように構成すると、持ち手部４０のカバー面４３でブラシ毛材２２の先端２２ｃを良好に覆うことができるとともに、持ち手部４０のカバー面４３の反対側４４を利用して収納部４１を良好に構成することができる。
【００１５】
図１（ａ）に示すように、正面視で、ブラシ部２０と持ち手部４０とは、それぞれ、ヒンジ部１１に関し略対称となる楕円形をなしている。
ヒンジ部１１は１つのヒンジで構成することもできるが、この実施の形態では、ヒンジ部１１は、２つのヒンジ１１ａ、１１ｂを有しており、図２（ａ）（ｂ）に示すように２段階で折り曲げることによって、ヒンジ部１１および持ち手部４０を、ブラシ部２０に沿わせた状態で折り畳むことができるようになっている。これによって、携帯時の一層のコンパクト化が図られている。図２（ｂ）に示すように折り畳んだ際、基部２１におけるブラシ毛材側の面と持ち手部４０におけるカバー面４３とは略平行となる。
【００１６】
図１に示すように、基部２１には、吊り下げ用の輪部２３が設けられている。
このように構成すると、図２に示すように、輪部２３に、リング部材２４等を連結することで、携行性をさらに高めることができる。
【００１７】
このペット用ブラシ１０の各部はいずれも、公知の適宜の材料で構成することができる。
例えば、基部２１、ブラシ毛材２２、抜き取り体３０、持ち手部４０はいずれも、合成樹脂、金属等で構成することができる。基部２１、持ち手部４０は木で構成することもできる。ブラシ毛材２２は基部２１と一体に構成することもできるし、別体として基部２１に植設することもできる。
【００１８】
図１（ａ）に示すように、正面視で、抜き取り体３０は、全体形状が、基部２１と略相似形の楕円形をなしており、その一端部が、ヒンジ３１で基部２１に対して回動可能に取り付けられている。
抜き取り体３０は板状体であり、回動時にブラシ毛材２２を逃がす複数本（図示のものは５本）の長穴３２を有している。別言すれば、抜き取り体３０は、ブラシ毛材２２の列間に入り込む複数本（図示のものは４本）の線状部３３と、これら線状部３３の両端を一体的に連結する外枠部３４とを有している。
ブラッシング後、図３に示すように、抜き取り体３０をヒンジ３１回りに回動させることにより、ブラシ毛材２２の間から押し出すようにして抜け毛Ｐをブラシ部２０から容易に除去することができる。
【００１９】
図４にも示すように、合成樹脂製袋５０の収納部４１は、持ち手部４０の膨らみ（４４）を利用して構成されている。
図４に示すように、持ち手部４０のカバー面４３側には、開口４５が設けられ、この開口４５を開閉可能なように、ヒンジ４６ｈで蓋体４６が開閉可能に設けられている。
蓋体４６の開閉側の縁部４６ｃと、この縁部４６ｃに対向する前記開口４５における縁部４５ｃの一部とで、合成樹脂製袋５０を取り出すための、袋取り出し口４２（図１（ａ）参照）が形成されている。
【００２０】
合成樹脂製袋５０は、複数の袋が切り離し部を形成するミシン目を介して連接された公知の袋（例えばロール状のポリ袋）を使用する。
【００２１】
合成樹脂製袋５０は、図４（ａ）に示すように蓋体４６を開けて、収納部４１に収納することができ、図４（ｂ）に示すように蓋体４６を閉じた状態で、袋取り出し口４２から引き出し、ミシン目で切断して一枚ずつ使用することができる。４６ｔは蓋体４６を開く際につまむことができる摘まみである。
【００２２】
合成樹脂製袋５０は、図４に示すようにロール状のものを使用することもできるし、図５に示すように、蛇腹状に折り畳んだものを使用することもできる。図５に示すように、蛇腹状に折り畳んだものを使用すると、持ち手部４０を薄手に構成することが可能となる。
【００２３】
合成樹脂製袋５０は、カートリッジ化して、持ち手部４０に対して容易に着脱できるようにする、あるいはカートリッジ自体をヒンジ部１１に対し着脱可能としてカートリッジ自体で持ち手部４０を構成するようにすることもできる。
【００２４】
以上、本発明の実施の形態について説明したが、本発明は上記の実施の形態に限定されるものではなく、本発明の要旨の範囲内において適宜変形実施可能である。
【符号の説明】
【００２５】
１０：    ペット用ブラシ
１１：    ヒンジ部
２０：    ブラシ部
２１：    基部
２２：    ブラシ毛材
２２ｃ：  先端
３０：    抜き取り体
４０：    持ち手部
４１：    収納部
４２：    袋取り出し部
４３：    カバー面
４４：    カバー面の反対側
５０：    合成樹脂製袋
Ｐ：    ペットの毛
【図１】
2015205026.tif 000003
【図２】
2015205026.tif 000004
【図３】
2015205026.tif 000005
【図４】
2015205026.tif 000006
【図５】
2015205026.tif 000007
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
基部と、この基部に多数設けられたピン状または線状のブラシ毛材とを有するブラシ部と、
前記基部に対してヒンジ（３１）で回動可能に取り付けられ、当該回動動作によって前記ブラシ毛材の間に出入りすることで、ブラシ毛材の間に残っているペットの毛を抜き取る抜き取り体と、
前記ブラシ部に対してヒンジ部（１１）を介して回動可能に取り付けられ、前記ブラシ部に向けて折り畳み可能に設けられた持ち手部と、
この持ち手部の内部に設けられた、合成樹脂製袋の収納部と、この収納部から合成樹脂製袋を取り出すために、前記持ち手部に設けられた袋取り出し口と、
を備え、
前記抜き取り体のヒンジ（３１）は前記持ち手部のヒンジ部（１１）の反対側に設けられているとともに、抜き取り体には、回動時にブラシ毛材を逃がす複数本の、ヒンジ（３１）からヒンジ部（１１）に向かって延びる長穴（３２）が設けられていることを特徴とするペット用ブラシ。
【請求項２】
請求項１において、
前記持ち手部は、前記ブラシ部のブラシ毛材側に向けて折り畳まれて、ブラシ毛材の先端を覆うカバー面を有しており、このカバー面の反対側に、前記収納部が設けられていることを特徴とするペット用ブラシ。
【手続補正２】
【補正対象書類名】明細書
【補正対象項目名】０００５
【補正方法】変更
【補正の内容】
【０００５】
上記課題を解決するために本発明のペット用ブラシは、
基部と、この基部に多数設けられたピン状または線状のブラシ毛材とを有するブラシ部と、
前記基部に対してヒンジ（３１）で回動可能に取り付けられ、当該回動動作によって前記ブラシ毛材の間に出入りすることで、ブラシ毛材の間に残っているペットの毛を抜き取る抜き取り体と、
前記ブラシ部に対してヒンジ部（１１）を介して回動可能に取り付けられ、前記ブラシ部に向けて折り畳み可能に設けられた持ち手部と、
この持ち手部の内部に設けられた、合成樹脂製袋の収納部と、この収納部から合成樹脂製袋を取り出すために、前記持ち手部に設けられた袋取り出し口と、
を備え、
前記抜き取り体のヒンジ（３１）は前記持ち手部のヒンジ部（１１）の反対側に設けられているとともに、抜き取り体には、回動時にブラシ毛材を逃がす複数本の、ヒンジ（３１）からヒンジ部（１１）に向かって延びる長穴（３２）が設けられていることを特徴とする。